(57)【要約】【課題】運用状況を容易に把握できるトリップロック端子台を提供する。【解決手段】離隔配置された一対の中継端子１１・１２及び１３・１４、及びこれらの中継端子を接続可能な短絡端子２で構成され、パネル１ｐに配列された端子台１００であって、一対の中継端子１１・１２に短絡端子２を常時、取り付けた状態でパネル１ｐに配置される第１端子台１０と、一対の中継端子１３・１４から短絡端子２を常時、取り外した状態でパネル１ｐに配置される第２端子台２０と、を備える。短絡端子２は、赤色で着色された把持部２ｂを中間部に有する。パネル１ｐは、把持部２ｂで覆い隠すように、一対の中継端子の間に配置され、青色で着色された表示板３を有する。第１端子台１０は、赤色で着色された第１帽体１ａを中継端子１１・１２の先端部に有し、第２端子台２０は、青色で着色された第２帽体１ｇを中継端子１３・１４の先端部に有する。【選択図】図３
2015043661.tif 000002
【特許請求の範囲】
【請求項１】
離隔して配置された一対の中継端子、及びこれらの中継端子を接続可能な短絡端子で構成され、パネルに配列されたトリップロック端子台であって、
一対の前記中継端子に前記短絡端子を常時、取り付けた状態で前記パネルに配置される一つ以上の第１トリップロック端子台と、
一対の前記中継端子から前記短絡端子を常時、取り外した状態で前記パネルに配置される一つ以上の第２トリップロック端子台と、を備え、
前記短絡端子は、第１の色相で着色された把持部を中間部に有し、
前記パネルは、前記把持部で覆い隠すように、一対の前記中継端子の間に配置され、第１の色相と異なる第２の色相で着色された表示手段を有し、
前記第１トリップロック端子台は、前記中継端子の先端部に設けられ、前記第１の色相で着色された第１帽体を有し、
前記第２トリップロック端子台は、前記中継端子の先端部に設けられ、前記第２の色相で着色された第２帽体を有するトリップロック端子台。
【請求項２】
前記第１の色相は、赤色である請求項１記載のトリップロック端子台。
【請求項３】
前記第２の色相は、青色である請求項１又は２記載のトリップロック端子台。
【請求項４】
前記表示手段は、前記パネルに貼着された表示板からなる請求項１から３のいずれかに記載のトリップロック端子台。
【発明の詳細な説明】
【技術分野】
【０００１】
本発明は、トリップロック端子台に関する。特に、変電所などに設置された電力の保護制御盤に取り付けられた試験用端子としてのトリップロック端子台の構造に関する。
【背景技術】
【０００２】
例えば、変電所では、電力を安定供給するために、保護継電器及び遮断器を含む保護制御盤を設置している。又、変電所では、保護制御回路が適切に動作するかの点検を定期的又は不定期に実施している。そして、送電を停止させることなく、点検を実施するため、保護継電器又は遮断器が不用意に動作しないように、つまり、トリップしないように、保護制御回路をロックしている。
【０００３】
図４は、上述した保護制御回路の構成例を示す電気回路図である。図４を参照すると、供給側電路７０に供給された電力は、接続点Ｎ１から負荷側電路７１を介して、負荷側機器８６に供給している。負荷側電路７１には、トリップコイル８５に流れる電流で発生する電磁力によって、その接点が「開」となる遮断器８２を取り付けている。
【０００４】
図４を参照すると、保護制御盤８１には、保護継電器８３を取り付けている。供給側電路７０の接続点Ｎ２には、供給側電路７０に印加される電圧を計測するための変圧器ＰＴを取り付けている。そして、変圧器ＰＴの電圧データが保護継電器８３に入力されるように構成している。一方、負荷側電路７１には、負荷側電路７１に流れる電流を計測するための変流器ＣＴを取り付けている。そして、変流器ＣＴの電流データも保護継電器８３に入力されるように構成している。
【０００５】
図４において、保護継電器８３が変圧器ＰＴ又は変流器ＣＴのデータに異常を発見したときには、第１配線７２及び第２配線７３を介して、トリップコイル８５に電流を流して遮断器８２を動作させ、負荷側電路７１の負荷側機器８６に対する接続を遮断している。
【０００６】
図４を参照すると、保護制御盤８１は、トリップロック端子台９０を取り付けている。トリップロック端子台９０は、その本体に着脱自在な短絡端子を備えている。そして、短絡端子をその本体に取り付けたときは、第１配線７２と第２配線７３とを電気的に接続できる。
【０００７】
一方、図４を参照すると、短絡端子をその本体から取り外したときは、第１配線７２と第２配線７３とを電気的に遮断でき、保護継電器８３が正常に動作しているか否かを確認するときに、遮断器８２を不用意に動作させることを防止できる。つまり、遮断器８２をトリップロックできる。
【０００８】
次に、従来技術によるトリップロック端子台９０の構成を説明する。図５は、保護制御盤８１に取り付けられた、従来技術によるトリップロック端子台９０の構成を示す斜視図である。又、図６は、図５の縦断面図である。
【０００９】
図５又は図６を参照すると、トリップロック端子台（以下、端子台と略称する）９０は、一対の中継端子９１・９２と、これらの中継端子９１・９２に着脱自在な短絡端子９３と、を備えている。なお、中継端子９１と中継端子９２とは、同じものであるが、説明の便宜上、符号を変えて区別した。又、中継端子９１と中継端子９２とは、同じものであるので、中継端子９１を代表して、以下に説明する場合がある。
【００１０】
図５又は図６を参照すると、一対の中継端子９１・９２は、保護制御盤８１（図４参照）の前面パネル８１ａに取り付けている。中継端子９１は、導電性のシャフト９ａと絶縁性の台座９ｂを有している。シャフト９ａは、外周に雄ねじを形成している。台座９ｂは、シャフト９ａの中間部に固定している。
【００１１】
図６を参照すると、中継端子９１は、シャフト９ａの後端部が前面パネル８１ａの内部に突出するように取り付けている。そして、絶縁性のカラー９ｃを介して、導電性の金属ナット９ｎをシャフト９ａの後端部に締結している。このように、中継端子９１は、台座９ｂとカラー９ｃで前面パネル８１ａを絶縁支持している。
【００１２】
図６を参照すると、中継端子９１のシャフト９ａの後端部には、第１配線７２（図４参照）の端末を接続している。具体的には、第１配線７２の端末に圧着された圧着端子を一対の金属ナット９ｎ・９ｎで挟持している。
【００１３】
一方、図６を参照すると、中継端子９２のシャフト９ａの後端部は、第２配線７３（図４参照）の端末を接続している。具体的には、第２配線７３の端末に圧着された圧着端子を一対の金属ナット９ｎ・９ｎで挟持している。
【００１４】
図５又は図６を参照すると、シャフト９ａの先端部は、シャフト９ａに螺合する帽体９ｄで覆われている。帽体９ｄは、シャフト９ａの先端部が露出しないように、保護している。帽体９ｄと台座９ｂとの間には、絶縁性のナット９ｅを配置している。ナット９ｅは、シャフト９ａに螺合しており、ナット９ｅを回転すると、帽体９ｄ側にも台座９ｂ側にも移動できる。
【００１５】
図５を参照すると、短絡端子９３は、導電性の短絡バー９３ａと短絡バー９３ａの中間部を絶縁被覆する把持部９３ｂとで一体に構成している。短絡バー９３ａの両端部は、略円形に形成され、シャフト９ａの半径方向からシャフト９ａに嵌合可能な、一対のＵ字状の切り欠き溝９３１・９３１を開口している。
【００１６】
図５又は図６を参照すると、ナット９ｅを帽体９ｄ側に移動して、ナット９ｅと台座９ｂに所定の間隔を設けると、短絡バー９３ａの端部を挿入できる。次に、ナット９ｅを一方の方向に回転して、ナット９ｅと台座９ｂで挟持すると、一対の中継端子９１・９２を短絡（導通）でき、第１配線７２と第２配線７３とを電気的に接続できる。
【００１７】
一方、前述と逆の手順を実施すると、一対の中継端子９１・９２から短絡端子９３を取り外すことができ、第１配線７２と第２配線７３とを電気的に遮断できる。つまり、遮断器８２をトリップロックできる（図４参照）。
【００１８】
又、図６を参照すると、感電事故又は導電材料の付着を回避する目的で、及び短絡端子９３の有無を容易に確認できるように、通常、端子台９０は、箱状の透明カバー９４で覆っている。
【００１９】
その他にも、一対の中継端子を効率的に接続又は非接続できるだけでなく、非接続であることを確実に確認できるトリップロック端子台が開示されている（例えば、特許文献１参照）。
【００２０】
又、一対の中継端子を連結する短絡バーは、導電板で形成すると共に一方の面が絶縁部材で覆っており、絶縁部材を裏側にして一対の中継端子を連結してときには、短絡バーの表面には、トリップロック中の文字が表示される、作業性を改善したトリップロック端子台も開示されている（例えば、特許文献２参照）。
【先行技術文献】
【特許文献】
【００２１】
【特許文献１】特開２０１１−６０５８８号公報
【特許文献２】特開２０１０−１４８３３８号公報
【発明の概要】
【発明が解決しようとする課題】
【００２２】
図５又は図６に示されたような端子台９０は、一般に、保護制御盤８１の前面パネル８１ａに多数配列されている。図７は、複数の従来技術によるトリップロック端子台を前面パネルに配置した例を示す図であり、図７（Ａ）は、トリップロック端子台の正面図、図７（Ｂ）は、トリップロック端子台の左側面図、図７（Ｃ）は、トリップロック端子台の右側面図である。
【００２３】
図７に示された複数の端子台９０は、常時、短絡端子９３を取り付けるべき端子台９０と、常時、短絡端子９３を取り外しておくべき端子台９０とに区分して運用している。そして、常時、短絡端子９３を取り付けるべき端子台９０を「常時活かし中」と呼び、常時、短絡端子９３を取り外しておくべき端子台９０を「常時ロック中」と呼び、以下、区別することにする。
【００２４】
図７を参照すると、前面パネル８１ａは、「常時活かし中」の端子台９０を上段に配置している。又、前面パネル８１ａは、「常時ロック中」の端子台９０を下段に配置している。
【００２５】
図４又は図７を参照すると、「Ａ」で表示した上段左側の端子台９０は、一対の中継端子９１・９２に短絡端子９３を接続しており、遮断器８２を正常に動作できる。「Ｂ」で表示した上段右側の端子台９０は、一対の中継端子９１・９２から短絡端子９３を取り外しており、保護継電器８３を検査中に、遮断器８２を不用意に動作させることを防止できる。そして、保護継電器８３の検査が終了後には、「Ｂ」で表示した端子台９０に短絡端子９３を取り付ける必要がある。
【００２６】
一方、図４又は図７を参照すると、「Ｃ」で表示した下段左側の端子台９０は、一対の中継端子９１・９２から短絡端子９３を取り外しており、保護継電器８３を検査中に、遮断器８２を不用意に動作させることを防止できる。「Ｄ」で表示した下段右側の端子台９０は、一対の中継端子９１・９２に短絡端子９３を接続しており、遮断器８２を正常に動作できる。そして、遮断器８２の正常運転の必要が無くなったときには、「Ｄ」で表示した端子台９０から短絡端子９３を取り外す必要がある。
【００２７】
図４又は図７を参照して、保護継電器８３などは、前面パネル８１ａから離れた場所に配置されている。そして、作業員が所定の作業を終了後に、前面パネル８１ａに戻ってきたときに、従来の端子台９０は、対応する端子台９０を照合するのに時間がかかるという問題があった。
【００２８】
又、図７を参照して、従来の端子台９０は、「常時活かし中」の端子台９０に短絡端子９３を取り付けることを怠る、又は、「常時ロック中」の端子台９０から短絡端子９３を取り外すことを忘れるという、心配があった。
【００２９】
特許文献１又は特許文献２によるトリップロック端子台は、一対の中継端子の接続又は非接続を確認するとは容易であるが、複数のトリップロック端子台の中から、「常時活かし中」又は「常時ロック中」の運用状況を直ちに把握することが困難である。
【００３０】
複数のトリップロック端子台を配列したパネルにおいて、「常時活かし中」又は「常時ロック中」の運用状況を容易に把握できるトリップロック端子台が実現できれば、短絡端子の取り付け又は取り外しの誤接続を防止できる。そして、以上のことが本発明の課題といってよい。
【００３１】
本発明は、このような課題に鑑みてなされたものであり、複数のトリップロック端子台を配列したパネルにおいて、「常時活かし中」又は「常時ロック中」の運用状況を容易に把握できるトリップロック端子台を提供することを目的とする。
【課題を解決するための手段】
【００３２】
本発明者らは、一対の中継端子の先端部に設けた帽体、及び短絡端子の中間部に設けた把持部は、共に「赤」で着色されていることに着目し、短絡端子の把持部で覆い隠すように、一対の中継端子の間に「青」で着色した識別表示を設けると共に、「常時活かし中」の一対の帽体を「赤」で着色し、「常時ロック中」の一対の帽体を「青」で着色することにより、これらの課題が解決可能なことを見出し、これに基づいて、以下のような新たなトリップロック端子台を発明するに至った。
【００３３】
（１）本発明によるトリップロック端子台は、離隔して配置された一対の中継端子、及びこれらの中継端子を接続可能な短絡端子で構成され、パネルに配列されたトリップロック端子台であって、一対の前記中継端子に前記短絡端子を常時、取り付けた状態で前記パネルに配置される一つ以上の第１トリップロック端子台と、一対の前記中継端子から前記短絡端子を常時、取り外した状態で前記パネルに配置される一つ以上の第２トリップロック端子台と、を備え、前記短絡端子は、第１の色相で着色された把持部を中間部に有し、前記パネルは、前記把持部で覆い隠すように、一対の前記中継端子の間に配置され、第１の色相と異なる第２の色相で着色された表示手段を有し、前記第１トリップロック端子台は、前記中継端子の先端部に設けられ、前記第１の色相で着色された第１帽体を有し、前記第２トリップロック端子台は、前記中継端子の先端部に設けられ、前記第２の色相で着色された第２帽体を有する。
【００３４】
（２）前記第１の色相は、赤色であることが好ましい。
【００３５】
（３）前記第２の色相は、青色であることが好ましい。
【００３６】
（４）表示手段は、前記パネルに貼着された表示板からなることが好ましい。
【発明の効果】
【００３７】
本発明によるトリップロック端子台は、「常時活かし中」の第１トリップロック端子台が第１の色相で着色された一対の第１帽体及び把持部の組合せで配置され、「常時ロック中」の第２トリップロック端子台が第２の色相で着色された一対の第２帽体及び表示手段の組合せで配置されるので、複数のトリップロック端子台の中から、「常時活かし中」又は「常時ロック中」の運用状況を直ちに把握できる。
【図面の簡単な説明】
【００３８】
【図１】本発明の一実施形態によるトリップロック端子台の構成を示す斜視図であり、一対の中継端子に短絡端子を常時、取り付けた状態でパネルに配置される第１トリップロック端子台の配置図である。
【図２】前記実施形態によるトリップロック端子台の構成を示す斜視図であり、一対の中継端子から短絡端子を常時、取り外した状態でパネルに配置される第２トリップロック端子台の配置図である。
【図３】前記実施形態によるトリップロック端子台をパネルに配置した状態を示す図であり、図３（Ａ）は、トリップロック端子台の正面図、図３（Ｂ）は、トリップロック端子台の左側面図、図３（Ｃ）は、トリップロック端子台の右側面図である。
【図４】本発明に係る保護制御回路の構成例を示す電気回路図である。
【図５】従来技術によるトリップロック端子台の構成を示す斜視図である。
【図６】図５の縦断面図である。
【図７】従来技術によるトリップロック端子台を前面パネルに配置した例を示す図であり、図７（Ａ）は、トリップロック端子台の正面図、図７（Ｂ）は、トリップロック端子台の左側面図、図７（Ｃ）は、トリップロック端子台の右側面図である。
【発明を実施するための形態】
【００３９】
以下、図面を参照して本発明を実施するための形態を説明する。
［トリップロック端子台の構成］
最初に、本発明の一実施形態によるトリップロック端子台の構成を説明する。図１は、本発明の一実施形態によるトリップロック端子台の構成を示す斜視図であり、一対の中継端子に短絡端子を常時、取り付けた状態でパネルに配置される第１トリップロック端子台の配置図である。
【００４０】
又、図２は、前記実施形態によるトリップロック端子台の構成を示す斜視図であり、一対の中継端子から短絡端子を常時、取り外した状態でパネルに配置される第２トリップロック端子台の配置図である。
【００４１】
図３は、前記実施形態によるトリップロック端子台をパネルに配置した状態を示す図であり、図３（Ａ）は、トリップロック端子台の正面図、図３（Ｂ）は、トリップロック端子台の左側面図、図３（Ｃ）は、トリップロック端子台の右側面図である。
【００４２】
図１から図３を参照すると、本発明の一実施形態によるトリップロック端子台（以下、端子台と略称する）１００は、一つ以上の第１端子台１０と一つ以上の第２端子台２０を備えている。第１端子台１０及び第２端子台２０は、パネル１ｐに配列されている。
【００４３】
図１又は図２を参照すると、第１端子台１０は、一対の中継端子１１・１２とこれらの中継端子１１・１２に接続可能な短絡端子２を備えている。なお、中継端子１１と中継端子１２とは、同じものであるが、説明の便宜上、符号を変えて区別した。又、中継端子１１と中継端子１２とは、同じものであるので、中継端子１１を代表して、以下に説明する場合がある。
【００４４】
同様に、図２又は図３を参照すると、第２端子台２０は、一対の中継端子１３・１４を備えている。これらの中継端子１３・１４には、短絡端子２を接続できる。なお、中継端子１３と中継端子１４とは、同じものであるが、説明の便宜上、符号を変えて区別した。又、中継端子１３と中継端子１４とは、同じものであるので、中継端子１３を代表して、以下に説明する場合がある。
【００４５】
図１又は図３を参照すると、一対の中継端子１１・１２は、保護制御盤８１（図４参照）の前面に設けたパネル１ｐに取り付けている。中継端子１１は、導電性のシャフト１ｓと絶縁性の台座１ｂを有している。シャフト１ｓは、外周に雄ねじを形成している。台座１ｂは、シャフト１ｓの中間部に固定している。又、台座１ｂは、第１の色相となる赤色に着色されている。
【００４６】
同様に、図２又は図３を参照すると、一対の中継端子１３・１４は、保護制御盤８１（図４参照）の前面に設けたパネル１ｐに取り付けている。中継端子１３は、導電性のシャフト１ｓと絶縁性の台座１ｂを有している。シャフト１ｓは、外周に雄ねじを形成している。台座１ｂは、シャフト１ｓの中間部に固定している。
【００４７】
図１から図３を参照して、中継端子１１・１２・１３・１４は、シャフト１ｓの後端部がパネル１ｐの内部に突出するように取り付けている。そして、絶縁性のカラー（図示せず）を介して、導電性の金属ナット（図示せず）をシャフト１ｓの後端部に締結している。このように、中継端子１１・１２・１３・１４は、台座１ｂと図示しないカラーでパネル１ｐを絶縁支持している。
【００４８】
図１から図３を参照すると、中継端子１１・１３のシャフト１ｓの後端部には、第１配線７２（図４参照）の端末を接続している。具体的には、第１配線７２の端末に圧着された圧着端子を一対の金属ナット（図示せず）で挟持している。
【００４９】
同様に、図１から図３を参照すると、中継端子１２・１４のシャフト１ｓの後端部には、第２配線７３（図４参照）の端末を接続している。具体的には、第２配線７３の端末に圧着された圧着端子を一対の金属ナット（図示せず）で挟持している。
【００５０】
図１又は図３を参照すると、第１端子台１０は、第１の色相となる赤色で着色された第１帽体１ａを有している。中継端子１１・１２の先端部は、シャフト１ｓに螺合する第１帽体１ａで覆っている。第１帽体１ａは、シャフト１ｓの先端部が露出しないように、保護している。第１帽体１ａと台座１ｂとの間には、絶縁性のナット１ｎを配置している。ナット１ｎは、シャフト１ｓに螺合しており、ナット１ｎを回転すると、第１帽体１ａ側にも台座１ｂ側にも移動できる。ナット１ｎは、第１帽体１ａと同じく、第１の色相となる赤色で着色されている。
【００５１】
図２又は図３を参照すると、第２端子台２０は、第１の色相と異なる第２の色相となる青色で着色された第２帽体１ｇを有している。中継端子１３・１４の先端部は、シャフト１ｓに螺合する第２帽体１ｇで覆っている。第２帽体１ｇは、シャフト１ｓの先端部が露出しないように、保護している。第２帽体１ｇと台座１ｂとの間には、絶縁性のナット１ｎを配置している。ナット１ｎは、シャフト１ｓに螺合しており、ナット１ｎを回転すると、第２帽体１ｇ側にも台座１ｂ側にも移動できる。
【００５２】
図１から図３を参照すると、短絡端子２は、導電性の短絡バー２ａと短絡バー２ａの中間部を絶縁被覆する把持部２ｂとで一体に構成している。短絡バー２ａの両端部は、略円形に形成され、シャフト１ｓの半径方向からシャフト１ｓに嵌合可能な、一対のＵ字状の切り欠き溝２１・２１を開口している。把持部２ｂは、第１帽体１ａと同じく、第１の色相となる赤色で着色されている。なお、短絡端子２は、図５に示された短絡端子９３と同じものであるが、説明の便宜上、符号を変えて区別した。
【００５３】
図１又は図３を参照すると、ナット１ｎを第１帽体１ａ側に移動して、ナット１ｎと台座１ｂに所定の間隔を設けると、短絡バー２ａの端部を挿入できる。次に、ナット１ｎを一方の方向に回転して、ナット１ｎと台座１ｂで挟持すると、一対の中継端子１１・１２を短絡でき、第１配線７２と第２配線７３とを電気的に接続できる（図４参照）。
【００５４】
一方、図１又は図３を参照して、前述と逆の手順を実施すると、一対の中継端子１１・１２から短絡端子２を取り外すことができ、第１配線７２と第２配線７３とを電気的に遮断できる。つまり、遮断器８２をトリップロックできる（図４参照）。
【００５５】
同様に、図２又は図３を参照すると、ナット１ｎを第２帽体１ｇ側に移動して、ナット１ｎと台座１ｂに所定の間隔を設けると、短絡バー２ａの端部を挿入できる。次に、ナット１ｎを一方の方向に回転して、ナット１ｎと台座１ｂで挟持すると、一対の中継端子１３・１４を短絡でき、第１配線７２と第２配線７３とを電気的に接続できる（図４参照）。
【００５６】
一方、図２又は図３を参照して、前述と逆の手順を実施すると、一対の中継端子１３・１４から短絡端子２を取り外すことができ、第１配線７２と第２配線７３とを電気的に遮断できる。つまり、遮断器８２をトリップロックできる（図４参照）。
【００５７】
図１から図３を参照すると、パネル１ｐは、その表面１１ｐ側に貼着された表示手段となる表示板３を備えている。表示板３は、一対の中継端子１１・１２及び一対の中継端子１３・１４の間に配置されている。表示板３は、第１の色相と異なる第２の色相となる青色で着色されている。
【００５８】
図１又は図３を参照して、短絡端子２を一対の中継端子１１・１２に取り付けると、表示板３を把持部２ｂで覆い隠すことができる。短絡端子２を一対の中継端子１１・１２から取り外すと、表示板３を前方から容易に確認できる。図２又は図３を参照して、短絡端子２を一対の中継端子１３・１４に取り付けると、表示板３を把持部２ｂで覆い隠すことができる。短絡端子２を一対の中継端子１３・１４から取り外すと、表示板３を前方から容易に確認できる。
【００５９】
［トリップロック端子台の作用］
次に、実施形態による端子台１００の作用及び効果を説明する。図３を参照すると、パネル１ｐは、「常時活かし中」の第１端子台１０を上段に配置している。又、パネル１ｐは、「常時ロック中」の第２端子台２０を下段に配置している。
【００６０】
図１又は図３を参照すると、「Ａ」で表示した上段左側の第１端子台１０は、一対の中継端子１１・１２に短絡端子２を接続しており、遮断器８２を正常に動作できる（図４参照。「Ｂ」で表示した上段右側の第１端子台１０は、一対の中継端子１１・１２から短絡端子２を取り外しており、保護継電器８３を検査中に、遮断器８２を不用意に動作させることを防止できる。そして、保護継電器８３の検査が終了後には、「Ｂ」で表示した第１端子台１０に短絡端子２を取り付ける必要がある。
【００６１】
図３を参照すると、「Ａ」で表示した第１端子台１０は、「第１帽体１ａ」−「把持部２ｂ」−「第１帽体１ａ」の組み合わせが「赤色」−「赤色」−「赤色」で配列している。一方、「Ｂ」で表示した第１端子台１０は、「第１帽体１ａ」−「表示板３」−「第１帽体１ａ」の組み合わせが「赤色」−「青色」−「赤色」で配列している。
【００６２】
図３を参照して、実施形態による端子台１００は、パネル１ｐの前方から確認される、異なる色相の組み合わせによる端子台が正常でないと予め取り決めており、「Ｂ」で表示した第１端子台１０に短絡端子２を取り付ける必要があることを容易又は直観的に確認できる。つまり、「常時活かし中」の第１端子台１０に対して、短絡端子２の取り付け忘れを防止できる。
【００６３】
図２又は図３を参照すると、「Ｃ」で表示した下段左側の第２端子台２０は、一対の中継端子１３・１４から短絡端子２を取り外しており、保護継電器８３を検査中に、遮断器８２を不用意に動作させることを防止できる。（図４参照）。「Ｄ」で表示した下段右側の第２端子台２０は、一対の中継端子１３・１４に短絡端子２を取り付けており、遮断器８２を正常に動作できる（図４参照）。そして、遮断器８２の正常運転の必要が無くなったときには、「Ｄ」で表示した第２端子台２０から短絡端子２を取り外す必要がある。
【００６４】
図３を参照すると、「Ｃ」で表示した第２端子台２０は、「第２帽体１ｇ」−「表示板３」−「第２帽体１ｇ」の組み合わせが「青色」−「青色」−「青色」で配列している。一方、「Ｄ」で表示した第２端子台２０は、「第２帽体１ｇ」−「把持部２ｂ」−「第２帽体１ｇ」の組み合わせが「青色」−「赤色」−「青色」で配列している。
【００６５】
図３を参照して、実施形態による端子台１００は、パネル１ｐの前方から確認される、異なる色相の組み合わせによる端子台が正常でないと予め取り決めており、「Ｄ」で表示した第２端子台２０から短絡端子２を取り外す必要があることを容易又は直観的に確認できる。つまり、「常時ロック中」の第２端子台２０に対して、短絡端子２の取り外し忘れを防止できる。
【００６６】
実施形態による端子台１００は、「常時活かし中」の第１端子台１０が第１の色相となる赤色で着色された一対の第１帽体１ａ・１ａ及び把持部２ｂの組合せで配置され、「常時ロック中」の第２端子台２０が第２の色相となる青色で着色された一対の第２帽体１ｇ・１ｇ及び表示板３の組合せで配置されるので、複数の第１端子台１０及び第２端子台２０の中から、「常時活かし中」又は「常時ロック中」の運用状況を直ちに把握できる。
【００６７】
本発明によるトリップロック端子台は、以下の効果が期待できる。
（ア）本発明によるトリップロック端子台は、変電所の保護制御盤などに適用でき、「常時ロック中」のトリップロック端子台と検査中によるトリップロック端子台を視覚に訴えることで、容易に識別でき、対応するトリップロック端子台を検査前の状態に早急にかつ確実に復旧できる。
（イ）「常時活かし中」のトリップロック端子台に対して、ヒューマンエラーに起因する短絡端子の取り付け忘れを防止できる。
（ウ）既設の赤色の帽体を青色の帽体に取り換えること、及び既設のパネルに表示板を貼着するだけで、本発明によるトリップロック端子台を実現でき、汎用性及び機能拡張性に優れている。
（エ）複数のトリップロック端子台の中から、正常状態でないトリップロック端子台を直観的及び容易に確認できる。
【００６８】
本発明によるトリップロック端子台は、図１から図３に開示された実施形態に限定されない。例えば、第１の色相は赤色に限定されることなく、他の色相でもよい。同様に、第２の色相は青色に限定されることなく、他の色相でもよい。表示手段は、パネルに貼着される表示板に限定されることなく、接着テープでもよく、種々の変形が可能である。
【符号の説明】
【００６９】
１ａ  第１帽体（赤色で着色された第１帽体）
１ｇ  第２帽体（青色で着色された第２帽体）
１ｐ  パネル
２  短絡端子
２ｂ  把持部（赤色で着色された把持部）
３  表示板（青色で着色された表示手段）
１０  第１端子台（第１トリップロック端子台）
１１・１２  一対の中継端子
１３・１４  一対の中継端子
２０  第２端子台（第２トリップロック端子台）
１００  端子台（トリップロック端子台）
【図１】
2015043661.tif 000003
【図２】
2015043661.tif 000004
【図３】
2015043661.tif 000005
【図４】
2015043661.tif 000006
【図５】
2015043661.tif 000007
【図６】
2015043661.tif 000008
【図７】
2015043661.tif 000009